(57)【要約】【課題】光線調節層内に備える複数の屈折率により、投射する光線を修正し、集光ハイライトの現象を消去し、影像がぼやけ、或いは変形するという欠点を改善するタッチパネルのアンチハイライト構造のを提供。【解決手段】タッチパネルのアンチハイライト構造は、撓み性を備える透明タッチ膜層、高い硬度を備える透明基板、２枚の面状の透明導電膜を備え、２枚の導電膜は一定の間隙を隔て向かい合って配置し、しかもタッチ膜層と基板との間に設置されるタッチセンサー、透明薄膜であるアンチニュートンリング層、透明薄層である光線調節層を備え、透明基材内には、多数の透明顆粒状粉体を結合して定位し、しかも透明基材と透明顆粒状粉体は、異なる光線屈折率を備え、透明粉体は、単一種の材質、或いは１種以上の材質を混合して構成する。【選択図】図１
0003155172.tif 000002
【実用新案登録請求の範囲】
【請求項１】
少なくともタッチ膜層、基板、タッチセンサー、アンチニュートンリング層、光線調節層を備え、
前記タッチ膜層は、撓み性を備える透明薄膜で、
前記基板は、高い硬度を備える透明板で、
前記タッチセンサーは、２枚の面状の透明導電膜を備え、前記２枚の導電膜は一定の間隙を隔て向かい合って配置し、しかも前記タッチ膜層と前記基板との間に設置され、
前記アンチニュートンリング層は、透明な薄膜で、少なくともその一表面には、規則的、或いは不規則なでこぼこのラフ面、窪んだ、或いは突出した表面の模様などのアンチニュートンリング構造を設置し、
前記光線調節層は、透明薄層で、その透明基材内には、多数の透明顆粒状粉体を結合して定位し、しかも前記透明基材と前記透明顆粒状粉体は、異なる光線屈折率を備えることを特徴とするタッチパネルのアンチハイライト構造。
【請求項２】
前記光線調節層の厚みは、250μm以下であることを特徴とする請求項１に記載のタッチパネルのアンチハイライト構造。
【請求項３】
前記光線調節層の透明粉体の粒径は、約0.1μmから15μmの間であることを特徴とする請求項１に記載のタッチパネルのアンチハイライト構造。
【請求項４】
前記光線調節層内の透明粉体は、１種、或いは１種以上の材質を含むことを特徴とする請求項１に記載のタッチパネルのアンチハイライト構造。
【請求項５】
前記光線調節層は、接着層であることを特徴とする請求項１に記載のタッチパネルのアンチハイライト構造。
【請求項６】
前記接着層の透明基材は、アクリル接着剤であることを特徴とする請求項１、或いは５に記載のタッチパネルのアンチハイライト構造。
【請求項７】
前記光線調節層は、アンチニュートンリング層に比べ、ディスプレーの光源からより離れていることを特徴とする請求項１に記載のタッチパネルのアンチハイライト構造。
【考案の詳細な説明】
【技術分野】
【０００１】
本考案はタッチパネルのアンチハイライト構造に関し、特にアンチニュートンリング薄膜を設置するタッチパネル、或いは液晶ディスプレー上に応用し、ハイライト現象の発生を防止するタッチパネルのアンチハイライト構造に関する。
【背景技術】
【０００２】
一般の電気抵抗式タッチパネル構造は、２枚の面状の導電膜を備え、２枚の導電膜は一定の間隙を隔て向かい合って配置する。
上方の導電膜は、撓み性を備える透明タッチ膜層の底表面に設置し、下方の導電膜は、透明ガラス基板の上表面に設置する。
向かい合って配置する２面の間には、多数のバンプ状隔絶部品を備え、導電膜の設置区域内には、間隔を残す。
これによりガラス基板は、タッチ膜層の底表面に重なり、導電膜は、２枚の板層内に密封、固定される。
【０００３】
これら２枚の板層間に間隙を備える電気抵抗式タッチパネルの使用時には、投射され、各板層を通過する光線は、干渉しま(ニュートンリング)現象を引き起こし、スクリーンの表示画像をひどく破壊してしまう。
よって、この種の問題を改善するため、通常は、タッチパネル構造中に、一層のアンチニュートンリング(Anti Newton-Ring、ANRと略称)薄膜を設置し、これにより干渉しまの現象を消去する。
現在知られているANR薄膜構造は、薄膜層の一表面に規則的或いは不規則な凹凸を備えるラフ面を設置し、或いは表面に窪んだ或いは突出した表面の細い模様を設置し、さらにはエンボス状に類似の表面構造を設置するものである。
これにより、該表面を通過した光線は、部分屈折、散乱現象を生じ、これにより干渉しまの形成を破壊する。
【０００４】
しかし、この種の表面の凹凸構造は、光線の集光/散乱作用を招き、不規則に分布する多数の集光ハイライトを表面に形成してしまう。
しかも、これら白色のハイライトは、影像をぼかし、或いは変形させ、影像の識別、表示における困難を引き起こす。
これは特に、解析度が高く、輝度が高い、ハイエンドの液晶ディスプレーへの使用時に、さらに重大な影響を及ぼす。
【考案の概要】
【考案が解決しようとする課題】
【０００５】
本考案が解決しようとする課題は、アンチニュートンリング層を設置するタッチパネル構造中に、光線調節層を設置し、光線調節層内に備える２種以上の異なる屈折率により投射光線を修正し、これにより投射光線が集光してハイライトを形成し、これが影像の表示を干渉することを回避可能であるタッチパネルのアンチハイライト構造を提供することである。
【課題を解決するための手段】
【０００６】
上記課題を解決するため、本考案は下記のタッチパネルのアンチハイライト構造を提供する。
タッチパネルのアンチハイライト構造は、少なくともタッチ膜層、基板、タッチセンサー、アンチニュートンリング層、光線調節層を備え、
該タッチ膜層は、撓み性を備える透明薄膜で、
該基板は、高い硬度を備える透明板で、
該タッチセンサーは、２枚の面状の透明導電膜を備え、該２枚の導電膜は一定の間隙を隔て向かい合って配置し、上方の導電膜は、透明の該タッチ膜層の一表面に設置し、下方の導電膜は、透明の該基板の一表面に設置する。
しかも、向かい合って配置する２枚の該導電膜の間には、多数のバンプ状隔絶部品を備え、これにより各導電膜の作用区域内には、間隔を残し、該作用区域の周囲には、接着剤を塗布し、これにより、該基板は、該タッチ膜層の底表面に接着され、タッチセンサーを内部に密封して固定し、
該アンチニュートンリング層は、透明な薄膜で、少なくともその一表面には、規則的、或いは不規則なでこぼこのラフ面、窪んだ、或いは突出した表面の模様などの任意のアンチニュートンリング (Anti Newton-Ring) 構造を設置し、
該光線調節層は、透明薄層で、その透明基材内には、多数の透明顆粒状粉体を結合（bind）して定位し、しかも該透明基材と該透明顆粒状粉体は、異なる光線屈折率(index of refraction)を備え、該光線調節層は、アンチニュートンリング層に比べ、ディスプレーの光源からより離れたところに設置可能で、
該光線調節層内に備える複数の屈折率により投射光線を修正し、これにより光線が集光してハイライトを形成する現象を消去し、影像のぼやけ、或いは変形を招くという欠点を改善可能で、
該光線調節層の厚みは、250μm以下が望ましく、
該光線調節層の透明粉体の粒径は、約0.1μmから15μmの間で、該透明粉体は、単一種材質、或いは１種以上の材質を混合して組成し、
該光線調節層は、アクリル接着剤などの接着層である。
【考案の効果】
【０００７】
本考案タッチパネルのアンチハイライト構造は、アンチニュートンリング層を設置するタッチパネル構造中に、光線調節層を設置し、光線調節層内に備える２種以上の異なる屈折率により投射光線を修正し、これにより投射光線が集光してハイライトを形成し、これが影像の表示を干渉することを回避可能である。
【図面の簡単な説明】
【０００８】
【図１】本考案の構成部材を組み合わせた様子を示す側面断面図である。
【図２】本考案材料中の透明基材と各透明顆粒状粉体の結合の様子を示す、光線調節層の断面見取り図である。
【考案を実施するための形態】
【０００９】
以下に図面を参照しながら本考案を実施するための最良の形態について詳細に説明する。
【００１０】
本考案の構成部材を組み合わせた様子を示す側面断面図である図１に示すように、本考案タッチパネルは、１組のタッチセンサー１、タッチ膜層２、基板３、アンチニュートンリング層４、光線調節層５を備える。
【００１１】
タッチ膜層２は、撓み性を備える透明薄膜で、基板３は、透明ガラス板である。
タッチセンサー１は、２枚の面状の透明導電膜を備え、２枚の導電膜は一定の間隙を隔て向かい合って配置する。
上方の導電膜１２は、透明のタッチ膜層２の一表面に設置し、下方の導電膜１３は、透明の基板３の一表面に設置する。
しかも、向かい合って配置する２枚の導電膜１２、１３の間には、多数のバンプ状隔絶部品１４を備え、これにより各導電膜１２、１３の作用区域内には、間隔を残す。
２枚の導電膜１２、１３の縁には、金属導電線１５a、１５bをそれぞれ設置し、信号出力端子に連接する。
これにより、タッチセンサー１上の感応信号は、信号出力端子により、後続の信号処理回路へと伝送される。
【００１２】
各導電膜１２、１３の作用区域の周囲には、接着剤１６を塗布し、これにより、基板３は、タッチ膜層２の底表面に接着され、タッチセンサー１を内部に密封して固定する。
アンチニュートンリング層４は、上方導電膜１２の底表面に形成し、その下表面には、でこぼこのラフ面を備えるアンチニュートンリング構造を設置する。
【００１３】
光線調節層５は、アンチニュートンリング層４の上方に設置する。
光線調節層５は、透明材質の薄膜で、図２に示すように、その透明基材５１内には、多数の透明顆粒状粉体５２を結合(bind)して定位する。
しかも、透明基材５１と透明顆粒状粉体５２は、異なる光線屈折率(index of refraction)を備える材料である。
【００１４】
透明基材５１は、ポリカーボネート(PC)、ポリエチレンテレフタレート(PET)、ポリメチルメタクリレート(PMMA)などのプラスチック材料で、或いはアクリル樹脂を採用することができる。
透明顆粒状粉体５２は、ガラス、ポリカーボネート(PC)、ポリエチレンテレフタレート(PET)、ポリメチルメタクリレート(PMMA)などの小顆粒状材料を採用することができる。
光線調節層の厚みは、約250μmで、各透明顆粒状粉体５２の粒径は、約0.1μmから15μmの間である。
【００１５】
タッチパネルの各構成部材を順番に組み合わせると、スクリーンの光線は、アンチニュートンリング層４のでこぼこ状面を通過し、干渉しまの形成を破壊する。
続いて、さらに光線調節層５を通過し、光線調節層５内に備える複数の屈折率により、投射する光線の進む方向を修正する。
こうして、集光ハイライトの現象を消去し、影像がぼやけ、或いは変形するという欠点を改善することができる。
【００１６】
上記の本考案名称と内容は、本考案技術内容の説明に用いたのみで、本考案を限定するものではなく、多くの等価応用或いは変化が可能で、例えば、光線調節層５の技術手段は、タッチパネルの範疇にのみ応用されるものではなく、液晶ディスプレー構造などの他の類似の多層構造にも適用可能で、同様にアンチハイライトの性能を達成することができる。よって、本考案の精神に基づく、等価応用或いは部品（構造）の転換、置換、数量の増減はすべて、本考案の保護範囲に含むものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１  タッチセンサー
１２、１３  導電膜
１４  隔絶部品
１５a、１５b  金属導電線
１６  接着剤
２  タッチ膜層
３  基板
４  アンチニュートンリング層
５  光線調節層
５１  透明基材
５２  透明顆粒状粉体
【図１】
0003155172.tif 000003
【図２】
0003155172.tif 000004
【手続補正書】
【提出日】平成21年8月31日(2009.8.31)
【手続補正１】
【補正対象書類名】実用新案登録請求の範囲
【補正対象項目名】請求項６
【補正方法】変更
【補正の内容】
【請求項６】
前記接着層の透明基材は、アクリル接着剤であることを特徴とする請求項５に記載のタッチパネルのアンチハイライト構造。